【事件の表示】
　特願２００６−１３４９００号「冷蔵庫」拒絶査定不服審判事件〔平成１９年１１月２２日出願公開、特開２００７−３０３７８１号〕について、次のとおり審決する。
【結　論】
　本件審判の請求は、成り立たない。
【理　由】
第１　手続の経緯
　本件出願は、平成１８年５月１５日の出願であって、平成２２年１２月２４日付けで拒絶査定がされ、この査定に対し、平成２３年３月３日に本件審判が請求されるとともに、審判請求と同時に手続補正（以下「本件補正」という。）がなされたものである。
　
第２　平成２３年３月３日付けの手続補正についての補正却下の決定
　［補正却下の決定の結論］
　　平成２３年３月３日付けの手続補正を却下する。
　［理由］
１．補正後の請求項１に記載された発明
　本件補正により、特許請求の範囲の【請求項１】は、
「【請求項１】
　固定レールと中間走行レールと移動レールを有し、それぞれ回転支持部材で支持された左右一対の予め組み込まれたレール部材を内箱の側壁面に有し、容器を前記移動レールに支持する冷蔵庫において、前記固定レールが前記側壁面に固定され、前記中間走行レールは、１枚の板を折り曲げて端面を合わせて形成するもので成型加工時の前記端面の材料合わせ面の位置を左右共に同じ固定レール側で、前記容器と対向する側とは反対側とし組立てたことを特徴とした冷蔵庫。」
と補正された。
　上記補正は、補正前の請求項１に記載された発明を特定するために必要な事項である「冷蔵庫」に関して、「容器を前記移動レールに支持する冷蔵庫」とし、同じく「材料合わせ面の位置」に関して、補正前の「外側の対応する前記側壁面に固定され」た「左右共に同じ固定レール側」に加えて「前記容器と対向する側とは反対側」と限定するものであって、当該補正箇所は、平成１８年法律第５５号改正附則第３条第１項によりなお従前の例によるとされる同法による改正前の特許法第１７条の２第４項第２号の特許請求の範囲の減縮を目的とするものに該当する。
　そこで、本件補正後の請求項１に記載された発明（以下「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について、以下に検討する。
　
２．引用刊行物とその記載事項
（１）原査定の拒絶の理由に引用された、本願出願前に頒布された刊行物である特開２００４−１５４２２４号公報（以下「刊行物１」という。）には、スライドレールの取付構造に関し、図面とともに、次の技術的事項が記載されている。
　（ア）「【０００１】
【発明の属する技術分野】
本発明は、洗浄機本体に洗浄槽を出し入れ自在に収容したスライドオープン型の食器洗浄機などのように、固定側箱状体から可動側箱状体をスライドさせて出し入れ自在に構成するためのスライドレールの取付構造に関するものである。
・・・【０００５】
【発明が解決しようとする課題】
しかしながら、上記従来技術に係るスライドレールの取付構造では、洗浄槽１４からスライドレールに加わる荷重は、第２のスライドレール１７を洗浄槽１４に固定するネジ１７ａ及び第１のスライドレール１６を洗浄機本体１５に固定するネジ１６ａに剪断方向の力を加える。洗浄槽１４はそれ自体の重量だけでなく、収容した食器類の重量や、洗浄水の重量が加わるため、スライドレールに対する荷重は大きく、ネジ１６ａ，１７ａに加わる剪断方向の力も大きくなる。これに耐え得る強度を確保するには、ネジ止め箇所を増加させ、ネジサイズを大きくすることになり、スライドレールを取り付けるための作業工数が多く、取り付け強度の低下も否めない課題があった。
・・・
【０００７】
本発明は、上記従来技術の課題に鑑みて創案されたもので、その目的とするところは、スライドレール取り付けの作業性を向上させると共に、スライドレールに加わる荷重をネジによって負担することを解消したスライドレールの取付構造を提供することにある。」
　（イ）「【００１３】
本実施形態はスライドレールの取付構造をスライドオープン型の食器洗浄機に適用した例について示すものである。スライドレールの取付構造を適用した食器洗浄機は、図１に示すように、前方に開口する洗浄機本体（固定側箱状体）３１内に、上方に開口する洗浄槽（可動側箱状体）３２が収容され、洗浄槽３２はスライドレール３３により前後方向に移動可能で、洗浄機本体３１の前方開口部から図示する引き出し終端位置まで引き出すことができるように構成されている。この食器洗浄機は、図示するようにキッチンキャビネット４０内にビルトインするのが基本的な設置形態であるが、洗浄器本体１を設置場所の台上に固定して使用することもできる。」
　（ウ）「【００１５】
前記スライドレール３３は、図４、図５に示すように、洗浄機本体３１の両側面の内面側に固定される固定レール４１と、洗浄槽３２の両側面の外面側に固定される可動レール４２との間に、両レールにボールベアリング（転動体）４７を介して中間レール４３が嵌挿された３段構造に構成されている。前記固定レール４１には、中間レール４３をボールベアリング４７を介して支持する転動体収容溝の側面から水平方向に延出形成された水平面４４ａ及び水平面４４ａから鉛直方向に直角に折り曲げられた鉛直面４４ｂとを設けてＬの字状断面に形成された取付部４４が形成されている。このスライドレール３３は洗浄機機本体３１の両側面の内側に、図６、図７に示すように取り付けられる。」
　（エ）「【００２３】以上説明したスライドレールの取付構造は、スライドオープン型の食器洗浄機に適用した実施例を示したが、家具における引出し、冷蔵庫の引き出し式冷凍室など、スライドレールを設けた構造に適用することができる。」
　
・記載事項（イ）の「洗浄機本体（固定側箱状体）３１」は、記載事項（ア）の「固定側箱状体」に対応するものであるので、固定側箱状体といえる。
　また、記載事項（イ）の「洗浄槽（可動側箱状体）３２」は、記載事項（ア）の「固定側箱状体から可動側箱状体をスライドさせて出し入れ自在に構成するためのスライドレール」の「可動側箱状体」に対応するものであるので、固定側箱状体からスライドさせて出し入れ自在に構成する可動側箱状体といえる。
・記載事項（ウ）の「スライドレール３３」は、その固定レール４１が「洗浄機本体３１の両側面の内面側に固定される」ものであって、かつ、「図４、図５に示すように・・・構成され」て、「図６、図７に示すように取り付けられる。」ものであるので、左右一対の予め組み込まれたスライドレール３３といえる。
　
　すると、刊行物１には、次の発明（以下「引用発明」という。）が開示されているものということができる。
　「固定側箱状体の両側面の内面側に固定される固定レール４１と、固定側箱状体からスライドさせて出し入れ自在に構成する可動側箱状体の両側面の外面側に固定される可動レール４２との間に、両レールにボールベアリング４７を介して中間レール４３が嵌挿された３段構造に構成されている、左右一対の予め組み込まれたスライドレール３３を固定側箱状体の両側面の内面側に有し、可動側箱状体はスライドレール３３により前後方向に移動可能な、取り付け強度の低下を解消した食器洗浄機」
　
（２）原査定の拒絶の理由に引用された、本願出願前に頒布された刊行物である特開平６−５４７２６号公報（以下「刊行物２」という。）には、薄型の引出し用摺動器に関し、図面とともに、次の技術的事項が記載されている。
　（ア）「【００１１】
【実施例】以下、本発明の好ましい一実施例の詳細な説明ににおいて、明確さのために具体的な用語を用いている。・・・
【００１２】３部品構成の引出し用摺動器といわれるものの一般的構造の詳細は公知である。・・・
【００１３】図１は、収納具と引出しに装着した代表的な３部品構成の摺動器を示す。引出し用摺動器１０は、引出し１１を一つの家具１２のような収納具の中で摺動させる部材である。この引出し用摺動器は、家具備品の内壁に固定される外側チャネル摺動部材２０と、この外側チャネル摺動部材２０の中で摺動自在な中央摺動部材３０と、引出しの側壁１１’に固定される外側チャネル摺動部材４０とからなる。玉軸受けにより外部チャネル摺動部材４０は中央摺動部材３０から入れ子式に滑らかに出入りする。同様に、中央摺動部材３０と外側チャネル摺動部材２０との間に設けられた玉軸受けにより、中央摺動部材は外側チャネル摺動部材を通して摺動することができる。・・・
【００１４】本発明は、前に引用した文献に開示された普通の形式の３部品構成の引出し用摺動器に使用する器具を提供する。図２に示されるように、本発明の摺動器１０の第１実施例は、引出しおよび収納具もしくは家具備品に摺動器を摺動自在に取付ける左右対称で、かつ外方に位置する同形の部品すなわち外側チャネル摺動部材２０，４０からなる。・・・
【００１５】外側チャネル摺動部材は対称形であるから、左の外側チャネル摺動部材２０または右の外側チャネル摺動部材４０のどちらを収納具の内側に装着してもよい。同様に、外側チャネル摺動部材のどちらでも引出しに固定することができる。さらに、いずれの外側チャネル摺動部材も締結部材を受容するだけの広いスペースを有している。」
　（イ）「【００１６】図３は、一実施例の詳細断面図である。図３および図４において、外側チャネル摺動部材２０，４０と同等な部品には、対応する参照番号が付してある。以下の説明は、図３における右の外側チャネル摺動部材を対象としているが、同じ部品が左の外側チャネル摺動部材にも対称の反対位置に存在する。・・・
【００１７】・・・図示されるように左右の外側チャネル摺動部材２０，４０のそれぞれは、大体が垂直壁２２，４２となっている。・・・
【００１８】垂直壁に貫通孔４８を設け、ねじ式締結具５０を使って引出しや収納具に摺動器を固定することができる。・・・
【００２２】内部中央には中央摺動部材３０があり、好ましくは全体的に”Ｉ”字形をした圧延鋼板の単一もので形成される。中央摺動部材は押出し成形やブローチ成形で製作してもよく、デルリン（Delrin：商品名）のような合成樹脂やその他の硬質材料を使うこともできる。この一体構成は、構造的安定性を向上し、器具全体の製造費を低減する。さらに、中央摺動部材は、逆勝手に裏返して使用しても、これによって機構の動作が影響されることはない。」
　（ウ）「【００２８】図５，図６および図７は、中央摺動部材３０の別の実施例を示したものである。・・・
【００２９】図６は２重の厚みの軌道と２重の厚みの中央垂直壁を備えた構造を図示したものである。図６の実施例は、図４に類似している。しかしながら、図６では、図４の短い横壁３４Ｃ，３４Ｄが３４Ｅ，３４Ｆに置き換えられている。この壁の各々は、垂直壁３５に連設する短い横壁を形成している。横壁と垂直壁とは参照符号３７で示した位置においておおむね９０゜の角度で一体に連結されていることが望ましい。中央摺動部材は金属条帯か板材もしくはその他の硬質材料から圧延成形によって一体ものとして形成することができる。横壁３４Ｅ，３４Ｆは３６Ａ，３６Ｂに相当し、軌道部材をさらにヘアピン曲げと屈曲位置３７における直角曲げで包み込むようにして、軌道部材を圧延成形で張り出させて形成することができる。このように、中央摺動部材全体は、一つの平らな金属条帯に適当な回数だけ圧延操作を繰返すことによって構成される。この構成によって、極めて頑丈な２重厚さの軌道部材と２重厚さの中央摺動部材からなる、全体的に”Ｉ”字形部材ができあがる。この部材は、”Ｉ”ビームとしての構造的特徴と強度を備えているが、空隙９０の部分が中空となることによって、材料費が軽減される。」
　（エ）【図１】には、「【実施例】」として、記載事項（ア）の「収納具と引出しに装着した代表的な３部品構成の摺動器」が示されている。
　そして、記載事項（ア）及び【図１】において、外側チャネル摺動部材２０が「家具備品の内壁に固定され」、外側チャネル摺動部材４０が「引出しの側壁１１’に固定される」態様で記載されている。
　（オ）【図３】には、記載事項（イ）の「一実施例の詳細断面図」が示されている。
　そして、【図３】において、左の外側チャネル摺動部材２０は、垂直壁２２を有するものとして、右の外側チャネル摺動部材４０は、垂直壁４２を有するものとして記載されている。
　（カ）【図６】には、薄型の引出し用摺動器の第４実施例の断面図が記載されている。
　そして、その図において、記載事項（ウ）の「一つの平らな金属条帯に適当な回数だけ圧延操作を繰返すことによって構成」される「中央摺動部材３０」が、１枚の板材を圧延成形によって端面を合わせて形成したもので端面の板材合わせ面の位置を引き出し線２２が付された左の外側チャネル摺動部材側に配置した態様で記載されている。
　
・【図３】記載の「左の外側チャネル摺動部材２０」は、【図１】の家具備品の内壁に固定された外側チャネル摺動部材２０に対応するものである。
　そして、【図６】記載の「引き出し線２２が付された左の外側チャネル摺動部材」は、引き出し線２２が付されたものであって、【図３】においては、垂直壁２２を有する左の外側チャネル摺動部材２０に対応するものである。
　そうすると、【図６】記載の「引き出し線２２が付された左の外側チャネル摺動部材」は、【図１】の実施例に対応する装着態様の場合に、「家具備品の内壁に固定された外側チャネル摺動部材２０」といえる。
　
　すると、刊行物２には、図１及び図６記載の実施例に着目して、次の発明（以下「刊行物２記載の発明」という。）が開示されているものということができる。
　「家具備品の内壁に固定される外側チャネル摺動部材２０と、この外側チャネル摺動部材２０の中で摺動自在な中央摺動部材３０と、引出しの側壁１１’に固定される外側チャネル摺動部材４０とからなる引出し用摺動器１０において、中央摺動部材３０は、１枚の板材を圧延成形によって端面を合わせて形成し、強度を備えているが、材料費が軽減される引出し用摺動器１０。」
　
　さらに、刊行物２には、同じく図１及び図６記載の実施例に着目して、次の引出し用摺動器の装着態様（以下「刊行物２記載の引出し用摺動器の装着態様」という。）も開示されているものということができる。
　「家具備品の内壁に固定される外側チャネル摺動部材２０と、この外側チャネル摺動部材２０の中で摺動自在な中央摺動部材３０と、引出しの側壁１１’に固定される外側チャネル摺動部材４０とからなる引出し用摺動器１０において、外側チャネル摺動部材２０が家具備品の内壁に固定され、中央摺動部材３０は、１枚の板材を圧延成形によって端面を合わせて形成したもので端面の板材合わせ面の位置を家具備品の内壁に固定された外側チャネル摺動部材２０側に配置した引出し用摺動器１０の装着態様。」
　
３．本願補正発明と引用発明との対比 
（１）両発明の対応関係
　(a)引用発明の「固定レール４１」は、本願補正発明の「固定レール」に相し、以下同様に「可動レール４２」は「移動レール」に、「中間レール４３」は「中間走行レール」に、「ボールベアリング４７」は「回転支持部材」にそれぞれ相当する。
　(b)引用発明の「固定側箱状体の両側面の内面側に固定される固定レール４１と、固定側箱状体からスライドさせて出し入れ自在に構成する可動側箱状体の両側面の外面側に固定される可動レール４２との間に、両レールにボールベアリング４７を介して中間レール４３が嵌挿された３段構造に構成されている、左右一対の予め組み込まれたスライドレール３３」は、本願補正発明の「固定レールと中間走行レールと移動レールを有し、それぞれ回転支持部材で支持された左右一対の予め組み込まれたレール部材」に相当する。
　(c)引用発明の食器洗浄機の「固定側箱状体の両側面の内面側」と、本願補正発明の冷蔵庫の「内箱の側壁面」とは、固定側箱状体の内側の側壁面である点で共通する。
　(d)引用発明の食器洗浄機の「固定側箱状体からスライドさせて出し入れ自在に構成する可動側箱状体」と、本願補正発明の冷蔵庫の「容器」とは、固定側箱状体からスライドさせて出し入れ自在に構成する可動側箱状体である点で共通する。
　そして、引用発明の「可動側箱状体はスライドレール３３により前後方向に移動可能な、取り付け強度の低下を解消した食器洗浄機」と、本願補正発明の「容器を前記移動レールに支持する冷蔵庫」とは、可動側箱状体を移動レールに支持する装置である点で共通する。
　(e)引用発明の「スライドレール３３を固定側箱状体の両側面の内面側に有し」た「食器洗浄機」と、本願補正発明の「前記固定レールが前記側壁面に固定され、前記中間走行レールは、１枚の板を折り曲げて端面を合わせて形成するもので成型加工時の前記端面の材料合わせ面の位置を左右共に同じ固定レール側で、前記容器と対向する側とは反対側とし組立てたことを特徴とした冷蔵庫」とは、前者のスライドレール３３が「固定側箱状体の両側面の内面側に固定される固定レール４１」を有し、該固定レール４１が「固定側箱状体の両側面の内面側に固定される」ものであるので、固定レールが固定側箱状体の内側の側壁面に固定された装置である点で共通する。
　
（２）両発明の一致点
　「固定レールと中間走行レールと移動レールを有し、それぞれ回転支持部材で支持された左右一対の予め組み込まれたレール部材を固定側箱状体の内側の側壁面に有し、可動側箱状体を移動レールに支持する装置において、固定レールが前記側壁面に固定された装置。」
　
（３）両発明の相違点
　ア．本願補正発明は「レール部材を内箱の側壁面に有し、容器を前記移動レールに支持する冷蔵庫」であるのに対して、引用発明は、「スライドレール３３を固定側箱状体の両側面の内面側に有し、可動側箱状体はスライドレール３３により前後方向に移動可能な、取り付け強度の低下を解消した食器洗浄機」である点。
　イ．本願補正発明は「中間走行レールは、１枚の板を折り曲げて端面を合わせて形成するもので成型加工時の前記端面の材料合わせ面の位置を左右共に同じ固定レール側で、前記容器と対向する側とは反対側とし組立てた」ものであるのに対して、引用発明の中間レール４３は、１枚の板を折り曲げて端面を合わせて形成したものでない点。
　
４．容易想到性の検討
（１）相違点（ア）について
　刊行物１の記載事項（エ）には、「スライドレールの取付構造は、・・・冷蔵庫の引き出し式冷凍室など・・・に適用することができる。」旨記載されており、引用発明のスライドレールの取付構造を冷蔵庫の引き出し式冷凍室に用いることが示唆されている。
　さらに、例えば、特開２００６−１１８８５７号公報の【図３】等に記載されている様に、スライドレールを配する固定側箱状体の内面として、冷蔵庫の内箱の側壁面が従来周知のものであり、また、スライドレールにより移動可能に支持される可動側箱状体として、冷蔵庫の各貯蔵室の容器も従来周知のものである。
　そして、引用発明の食器洗浄機を、前記刊行物１記載事項（エ）の示唆に基づいて冷蔵庫とすると共に、スライドレール３３を配する「固定側箱状体の両側面の内面側」を冷蔵庫の内箱の側壁面とし、「可動側箱状体」を冷蔵庫の各貯蔵室の容器として構成して、相違点（ア）に係る発明特定事項とすることは当業者が容易に想到し得たことである。
　
（２）相違点（イ）について
　ア．刊行物２には、刊行物２記載の発明、及び、刊行物２記載の引出し用摺動器の装着態様が記載されている。
　そして、刊行物２記載の発明、及び、刊行物２記載の引出し用摺動器の装着態様の「外側チャネル摺動部材２０」は、本願補正発明の「固定レール」に相当し、以下同様に「中央摺動部材３０」は「中間走行レール」に、「引出しの側壁１１’に固定される外側チャネル摺動部材４０」は「移動レール」に、「引出し用摺動器１０」は「レール部材」に、「中央摺動部材３０は、１枚の板材を圧延成形によって端面を合わせて形成」したものであることは「前記中間走行レールは、１枚の板を折り曲げて端面を合わせて形成するもの」であることに相当する。
　また、(a)刊行物２記載の発明、及び、刊行物２記載の引出し用摺動器の装着態様の「家具備品の内壁」と、本願補正発明の冷蔵庫の「内箱の側壁面」とは、固定側箱状体の内側の側壁面である点で共通する。
(b)刊行物２記載の発明、及び、刊行物２記載の引出し用摺動器の装着態様の「引出し」と、本願補正発明の冷蔵庫の「容器」とは、固定側箱状体からスライドさせて出し入れ自在に構成する可動側箱状体である点で共通する。
(c)刊行物２記載の引出し用摺動器の装着態様の「家具備品」と、本願補正発明の「冷蔵庫」とは、前者の「家具備品の内壁に固定される外側チャネル摺動部材２０」が、上記(a)の固定側箱状体の内側の側壁面に固定されるものであるので、固定レールが固定側箱状体の内側の側壁面に固定された装置である点で共通する。
(d)刊行物２記載の引出し用摺動器の装着態様の「端面の板材合わせ面の位置を家具備品の内壁に固定された外側チャネル摺動部材２０側に配置した」ことと、本願補正発明の「成型加工時の前記端面の材料合わせ面の位置を左右共に同じ固定レール側で、前記容器と対向する側とは反対側とし組立てたこと」とは、「成型加工時の端面の材料合わせ面の位置を左右共に同じ固定レール側で、固定側箱状体からスライドさせて出し入れ自在に構成する可動側箱状体と対向する側とは反対側とし組立てたこと」で共通する。
　
　そうすると、刊行物２記載の発明は「固定レールと中間走行レールと移動レールを有したレール部材において、前記中間走行レールは、１枚の板を折り曲げて端面を合わせて形成するレール部材」ということが出来るものである。
　また、刊行物２記載の引出し用摺動器の装着態様は、「固定レールと中間走行レールと移動レールを有したレール部材において、固定レールが固定側箱状体の内側の側壁面に固定され、前記中間走行レールは、１枚の板を折り曲げて端面を合わせて形成するもので成型加工時の前記端面の材料合わせ面の位置を左右共に同じ固定レール側で、可動側箱状体と対向する側とは反対側とし組立てたレール部材の装着態様。」ということが出来るものである。
　
　イ．そして、引用発明の「中間レール４３」と、刊行物２記載の発明の引出し用摺動器１０の「中央摺動部材３０」とは、共に、固定レールと移動レールとの間に配される中間走行レールであるという基本構成で共通するものであり、かつ、引用発明の「中間レール４３」においても、「強度を備えているが、材料費が軽減される」ことは、望ましいことであるので、引用発明の「中間レール４３」を刊行物２記載の発明の「中央摺動部材３０」に置換することは当業者にとって容易なことである。
　ウ．さらに、刊行物２には、他の態様も併記されているものの、前記引出し用摺動器１０の装着態様として、１枚の板材を圧延成形によって端面を合わせて形成した中央摺動部材３０の「端面の板材合わせ面の位置を家具備品の内壁に固定された外側チャネル摺動部材２０側に配置」する態様が記載されている。
　エ．そうすると、上記（１）の引用発明の「可動側箱状体」を冷蔵庫の各貯蔵室の容器として構成することと共に、引用発明の「中間レール４３」（本願補正発明の「中間走行レール」に相当するもの）を刊行物２記載の発明の中央摺動部材３０の構成とし、当該中央摺動部材３０の装着方法を、刊行物２に一態様として示された、刊行物２記載の引出し用摺動器の装着態様として相違点（イ）に係る発明特定事項とすることは当業者が容易に想到し得たことである。
　オ．なお、上記イ．の引用発明の「中間レール４３」を刊行物２記載の発明の「中央摺動部材３０」に置換する場合に、刊行物２記載の引出し用摺動器の装着態様を採用することには、特段の技術的な困難性が存在するものでもない。
　また、請求人は審判請求書の【本願発明が特許されるべき理由】で「移動レールにも打ち倒れ方向に荷重がかかるため、中間走行レールの合わせ面を容器とは反対側の位置になるように組立てると、合わせ面と移動レールとの干渉を低減でき走行性を確保することができる」という効果を主張しているが、本願請求項１の記載において、例えば、移動レールと中間走行レールとが容器と同じ側のみで狭い間隔で対向するような様な、上記「合わせ面と移動レールとの干渉」が発生するような前提構成は、発明特定事項とされておらず、さらには、本願明細書に本発明の実施の形態として例示された【図４】、【図５】に図示された、移動レール３１ｂの端部は、容器と同じ側、及び反対側の両方で中間走行レール３１ｃに対向しており、本願明細書において実施の形態とされたものにおいても、一概に「中間走行レールの合わせ面を容器とは反対側の位置になるように組立てると、合わせ面と移動レールとの干渉を低減でき走行性を確保することができる」といえる様なものでないことからも、当該効果に係る主張は採用出来るものではない。
　
（４）小括
　本願補正発明の作用効果は、引用発明、刊行物１記載の事項、刊行物２記載の発明、及び、刊行物２記載の事項から当業者であれば予測できた範囲のものである。
　すると、本願補正発明は、引用発明、刊行物１記載の事項、刊行物２記載の発明、及び、刊行物２記載の事項に基づいて当業者が容易に発明をすることができたものということができる。
　
５．むすび
　以上のとおり、本願補正発明は、特許法第２９条第２項の規定により特許出願の際独立して特許を受けることができないものであり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　
第３　本願発明について
１．本願発明
　平成２３年３月３日付けの手続補正は、上記のとおり却下されたので、本願の請求項１〜２に係る発明は、平成２２年９月７日付けで補正された特許請求の範囲の請求項１〜２に記載された事項によって特定されるものと認められるところ、そのうち請求項１に係る発明（以下「本願発明」という。）は次のとおりである。
「【請求項１】
　固定レールと中間走行レールと移動レールを有し、それぞれ回転支持部材で支持された左右一対の予め組み込まれたレール部材を内箱の側壁面に有する冷蔵庫において、前記固定レールが前記側壁面に固定され、前記中間走行レールは、１枚の板を折り曲げて端面を合わせて形成するもので成型加工時の前記端面の材料合わせ面の位置を左右共に外側の対応する前記側壁面に固定される同じ固定レール側とし組立てたことを特徴とした冷蔵庫。」
　
２．引用刊行物
　原査定の拒絶の理由に引用された刊行物とその記載事項は、前記の「第２　２．」に記載したとおりである。
　
３．対比・判断
　本願発明の構成を全て含むとともに、本願発明の構成に更に限定を付加した本願補正発明が、前記「第２　３．」以下に記載したとおり、引用発明、刊行物１記載の事項、刊行物２記載の発明、及び、刊行物２記載の事項から当業者が容易に発明をすることができたものであるから、本願補正発明を上位概念化した本願発明も本願補正発明と同様の理由により、引用発明、刊行物１記載の事項、刊行物２記載の発明、及び、刊行物２記載の事項から当業者が容易に発明をすることができたものといえる。
　
４．むすび
　したがって、本願発明については、特許法第２９条第２項の規定により特許を受けることができない。
　そうすると、このような特許を受けることができない発明を包含する本願は、本願の他の請求項に係る発明について検討するまでもなく拒絶されるべきものである。
　よって、結論のとおり審決する。